(57)【要約】【課題】端末装置からの要求に基づいて処理を実行する画像処理装置において、当該処理の内容に基づいて、適した画像処理装置に分担して実行させることが可能とする。【解決手段】端末装置との通信回線を介した通信を行う第１の通信部と、一又は複数の他の画像処理装置との通信回線を介した通信を行う第２の通信部と、第１の通信部を介して、当該画像処理装置の表示部に表示されるユーザーインターフェースを端末装置に提供するＵＩ提供部と、端末装置から要求された処理を、当該画像処理装置のみにより実行する自己処理とするか、当該画像処理装置及び／又は他の画像処理装置により実行する分担処理とするかを判定する判定部と、判定部により分担処理とすると判定された場合に、処理内容に基づいて、端末装置から要求された処理を、当該画像処理装置に実行させる処理と、他の画像処理装置に実行させる処理と、に分類して実行させる制御部と、を備える。【選択図】図１２
2020017832.tif 000002
【特許請求の範囲】
【請求項１】
端末装置からの要求に基づく処理を実行する機能を有する画像処理装置であって、
前記端末装置との通信回線を介した通信を行う第１の通信部と、
一又は複数の他の画像処理装置との通信回線を介した通信を行う第２の通信部と、
前記第１の通信部を介して、当該画像処理装置の表示部に表示されるユーザーインターフェースを前記端末装置に提供するＵＩ提供部と、
前記端末装置から要求された処理を、当該画像処理装置のみにより実行する自己処理とするか、当該画像処理装置及び／又は前記他の画像処理装置により実行する分担処理とするかを判定する判定部と、
前記判定部により分担処理とすると判定された場合に、処理内容に基づいて、前記端末装置から要求された処理を、当該画像処理装置に実行させる処理と、前記他の画像処理装置に実行させる処理と、に分類して実行させる制御部と、を備える
ことを特徴とする画像処理装置。
【請求項２】
前記ＵＩ提供部は、自己処理あるいは分担処理の何れであるかに係らず、前記端末装置に当該画像処理装置の表示部に表示されるユーザーインターフェースを提供する
ことを特徴とする請求項１に記載の画像処理装置。
【請求項３】
前記他の画像処理装置の識別情報を取得する識別情報取得部を備える
ことを特徴とする請求項１又は２に記載の画像処理装置。
【請求項４】
前記制御部は、処理内容と、当該処理内容を実行すべき画像処理装置との対応関係を定めた処理分担テーブルに基づいて、前記端末装置から要求された処理を分類する
ことを特徴とする請求項１から３のいずれか一項に記載の画像処理装置。
【請求項５】
ユーザーによって編集可能な情報を記憶する記憶部を備え、
前記制御部は、前記判定部により分担処理とすると判定された場合に、前記編集可能な情報を用いる処理を当該画像処理装置に実行させる処理に分類する
ことを特徴とする請求項１から４のいずれか一項に記載の画像処理装置。
【請求項６】
前記端末装置の位置情報を取得する位置情報取得部と、
前記位置情報に基づいて前記端末装置との間の距離を算出する距離算出部と、を備え、
前記判定部は、前記距離算出部によって算出された距離が所定の距離以上である場合に、分担処理とすると判定する
ことを特徴とする請求項１から５のいずれか一項に記載の画像処理装置。
【請求項７】
前記端末装置との間で近距離無線通信を確立する第３の通信部と、
前記端末装置との間で近距離無線通信を確立されたか否かを監視する監視部と、を備え、
前記判定部は、前記監視部により近距離無線通信が確立されていないと判断された場合に、分担処理とすると判定する
ことを特徴とする請求項１から５のいずれか一項に記載の画像処理装置。
【請求項８】
前記ＵＩ提供部は、前記判定部により分担処理とすると判定された場合に、前記端末装置に前記他の画像処理装置を選択させるためのユーザーインターフェースを提供するとともに、当該画像処理装置の表示部に前記他の画像処理装置を選択させるためのユーザーインターフェースを表示させない
ことを特徴とする請求項１から７のいずれか一項に記載の画像処理装置。
【請求項９】
前記ＵＩ提供部は、前記判定部により分担処理とすると判定された場合に、前記他の画像処理装置に実行させる処理内容に基づいて、当該画像処理装置の状態情報を表示するユーザーインターフェースを前記端末装置に提供するか否かを判断する
ことを特徴とする請求項１から８のいずれか一項に記載の画像処理装置。
【請求項１０】
前記制御部は、前記判定部により分担処理とすると判定された場合に、前記端末装置から要求された処理が、他の画像処理装置が有しない機能を要する場合において、当該処理のうち、当該他の画像処理装置が有する機能によって実現可能なもののみを当該他の画像処理装置に実行させる
ことを特徴とする請求項１から８のいずれか一項に記載の画像処理装置。
【請求項１１】
端末装置と、前記端末装置からの要求に基づく処理を実行する機能を有する画像処理装置と、を備え、
前記画像処理装置は、
前記端末装置との通信回線を介した通信を行う第１の通信部と、
一又は複数の他の画像処理装置との通信回線を介した通信を行う第２の通信部と、
前記第１の通信部を介して、当該画像処理装置の表示部に表示されるユーザーインターフェースを前記端末装置に提供するＵＩ提供部と、
前記端末装置から要求された処理を、当該画像処理装置のみにより実行する自己処理とするか、当該画像処理装置及び／又は前記他の画像処理装置により実行する分担処理とするかを判定する判定部と、
前記判定部により分担処理とすると判定された場合に、処理内容に基づいて、前記端末装置から要求された処理を、当該画像処理装置に実行させる処理と、前記他の画像処理装置に実行させる処理と、に分類して実行させる制御部と、を備える
ことを特徴とする画像処理システム。
【請求項１２】
端末装置からの要求に基づく処理を実行する機能を有し、前記端末装置との通信回線を介した通信を行う第１の通信部と、一又は複数の他の画像処理装置との通信回線を介した通信を行う第２の通信部と、備える画像処理装置のコンピューターを、
前記第１の通信部を介して、当該画像処理装置の表示部に表示されるユーザーインターフェースを前記端末装置に提供するＵＩ提供部、
前記端末装置から要求された処理を、当該画像処理装置のみにより実行する自己処理とするか、当該画像処理装置及び／又は前記他の画像処理装置により実行する分担処理とするかを判定する判定部、
前記判定部により分担処理とすると判定された場合に、処理内容に基づいて、前記端末装置から要求された処理を、当該画像処理装置に実行させる処理と、前記他の画像処理装置に実行させる処理と、に分類して実行させる制御部、
として機能させるためのプログラム。
【発明の詳細な説明】
【技術分野】
【０００１】
本発明は、画像処理装置、画像処理システム及びプログラムに関する。
【背景技術】
【０００２】
従来、コピー、スキャン、ファックス、ドキュメント管理など様々な機能が備わった、複合機あるいはＭＦＰ（Multi-Function Peripherals）と呼ばれる画像処理装置が知られている。
近年では、このような画像処理装置を、タブレット型コンピューターやスマートフォンなどの端末装置とネットワークを介して通信可能に接続し、端末装置からの遠隔操作に基づいて画像処理装置に所定の処理を実行させる技術が普及している。具体的には、画像処理装置はタッチパネルディスプレイに表示されるユーザーインターフェースを、ネットワークを通じて端末装置に提供し、端末装置は当該ユーザーインターフェースをディスプレイに表示させる。これにより、ユーザーは端末装置のディスプレイを介して、遠隔的に画像処理装置を操作することが可能となる。
【０００３】
この場合、ユーザーは自身の近くに存在する画像処理装置を利用するのが便宜であるため、オフィスに設置された画像処理装置など、使用頻度の高いものと端末装置を常時接続させておくことが一般的である。しかし、出張などで遠く離れた地に移動した場合には、端末装置を出張先に設置された画像処理装置と接続して使用可能とする必要がある。
【０００４】
これに関連して、特許文献１には、他の画像処理装置を用いて画像データを印刷できるようにするリモートコピー技術が開示されている。特許文献１に記載の技術は、リモートコピーからローカルコピーに切り換える際に、改めて動作モードを設定し直すことなくローカルコピーを利用可能とすることでユーザーの利便性を向上させている。
【先行技術文献】
【特許文献】
【０００５】
【特許文献１】特開２００５−１５３４１８号公報
【発明の概要】
【発明が解決しようとする課題】
【０００６】
ところで、端末装置が、普段用いていない画像処理装置（以降、他の画像処理装置と表記）と接続された場合において、ユーザーが要求する処理の全てを他の画像処理装置によって実行するよりも、普段用いている画像処理装置と分担して実行させた方が好ましい場合がある。例えば、スキャンやコピーなどの機能は、ユーザーの近傍に存在する他の画像処理装置によって実行させるのに対して、メール機能を用いて画像データを送信する場合などは、ユーザーが普段用いている画像処理装置が保有している宛先データを利用することが必要となる。
【０００７】
本発明は上記課題に鑑みてなされたものであって、端末装置からの要求に基づいて処理を実行する画像処理装置において、当該処理の内容に基づいて、適した画像処理装置に分担して実行させることが可能な画像処理装置、画像処理システム及びプログラムを提供することを目的とする。
【課題を解決するための手段】
【０００８】
上記課題を解決するため、請求項１に記載の画像処理装置は、
端末装置からの要求に基づく処理を実行する機能を有する画像処理装置であって、
前記端末装置との通信回線を介した通信を行う第１の通信部と、
一又は複数の他の画像処理装置との通信回線を介した通信を行う第２の通信部と、
前記第１の通信部を介して、当該画像処理装置の表示部に表示されるユーザーインターフェースを前記端末装置に提供するＵＩ提供部と、
前記端末装置から要求された処理を、当該画像処理装置のみにより実行する自己処理とするか、当該画像処理装置及び／又は前記他の画像処理装置により実行する分担処理とするかを判定する判定部と、
前記判定部により分担処理とすると判定された場合に、処理内容に基づいて、前記端末装置から要求された処理を、当該画像処理装置に実行させる処理と、前記他の画像処理装置に実行させる処理と、に分類して実行させる制御部と、を備える
ことを特徴とする。
【０００９】
請求項２に記載の発明は、請求項１に記載の画像処理装置において、
前記ＵＩ提供部は、自己処理あるいは分担処理の何れであるかに係らず、前記端末装置に当該画像処理装置の表示部に表示されるユーザーインターフェースを提供する
ことを特徴とする。
【００１０】
請求項３に記載の発明は、請求項１又は２に記載の画像処理装置において、
前記他の画像処理装置の識別情報を取得する識別情報取得部を備える
ことを特徴とする。
【００１１】
請求項４に記載の発明は、請求項１から３のいずれか一項に記載の画像処理装置において、
前記制御部は、処理内容と、当該処理内容を実行すべき画像処理装置との対応関係を定めた処理分担テーブルに基づいて、前記端末装置から要求された処理を分類する
ことを特徴とする。
【００１２】
請求項５に記載の発明は、請求項１から４のいずれか一項に記載の画像処理装置において、
ユーザーによって編集可能な情報を記憶する記憶部を備え、
前記制御部は、前記判定部により分担処理とすると判定された場合に、前記編集可能な情報を用いる処理を当該画像処理装置に実行させる処理に分類する
ことを特徴とする。
【００１３】
請求項６に記載の発明は、請求項１から５のいずれか一項に記載の画像処理装置において、
前記端末装置の位置情報を取得する位置情報取得部と、
前記位置情報に基づいて前記端末装置との間の距離を算出する距離算出部と、を備え、
前記判定部は、前記距離算出部によって算出された距離が所定の距離以上である場合に、分担処理とすると判定する
ことを特徴とする。
【００１４】
請求項７に記載の発明は、請求項１から５のいずれか一項に記載の画像処理装置において、
前記端末装置との間で近距離無線通信を確立する第３の通信部と、
前記端末装置との間で近距離無線通信を確立されたか否かを監視する監視部と、を備え、
前記判定部は、前記監視部により近距離無線通信が確立されていないと判断された場合に、分担処理とすると判定する
ことを特徴とする。
【００１５】
請求項８に記載の発明は、請求項１から７のいずれか一項に記載の画像処理装置において、
前記ＵＩ提供部は、前記判定部により分担処理とすると判定された場合に、前記端末装置に前記他の画像処理装置を選択させるためのユーザーインターフェースを提供するとともに、当該画像処理装置の表示部に前記他の画像処理装置を選択させるためのユーザーインターフェースを表示させない
ことを特徴とする。
【００１６】
請求項９に記載の発明は、請求項１から８のいずれか一項に記載の画像処理装置において、
前記ＵＩ提供部は、前記判定部により分担処理とすると判定された場合に、前記他の画像処理装置に実行させる処理内容に基づいて、当該画像処理装置の状態情報を表示するユーザーインターフェースを前記端末装置に提供するか否かを判断する
ことを特徴とする。
【００１７】
請求項１０に記載の発明は、請求項１から８のいずれか一項に記載の画像処理装置において、
前記制御部は、前記判定部により分担処理とすると判定された場合に、前記端末装置から要求された処理が、他の画像処理装置が有しない機能を要する場合において、当該処理のうち、当該他の画像処理装置が有する機能によって実現可能なもののみを当該他の画像処理装置に実行させる
ことを特徴とする。
【００１８】
請求項１１に記載の画像処理システムは、
端末装置と、前記端末装置からの要求に基づく処理を実行する機能を有する画像処理装置と、を備え、
前記画像処理装置は、
前記端末装置との通信回線を介した通信を行う第１の通信部と、
一又は複数の他の画像処理装置との通信回線を介した通信を行う第２の通信部と、
前記第１の通信部を介して、当該画像処理装置の表示部に表示されるユーザーインターフェースを前記端末装置に提供するＵＩ提供部と、
前記端末装置から要求された処理を、当該画像処理装置のみにより実行する自己処理とするか、当該画像処理装置及び／又は前記他の画像処理装置により実行する分担処理とするかを判定する判定部と、
前記判定部により分担処理とすると判定された場合に、処理内容に基づいて、前記端末装置から要求された処理を、当該画像処理装置に実行させる処理と、前記他の画像処理装置に実行させる処理と、に分類して実行させる制御部と、を備える
ことを特徴とする。
【００１９】
請求項１２に記載のプログラムは、
端末装置からの要求に基づく処理を実行する機能を有し、前記端末装置との通信回線を介した通信を行う第１の通信部と、一又は複数の他の画像処理装置との通信回線を介した通信を行う第２の通信部と、備える画像処理装置のコンピューターを、
前記第１の通信部を介して、当該画像処理装置の表示部に表示されるユーザーインターフェースを前記端末装置に提供するＵＩ提供部、
前記端末装置から要求された処理を、当該画像処理装置のみにより実行する自己処理とするか、当該画像処理装置及び／又は前記他の画像処理装置により実行する分担処理とするかを判定する判定部、
前記判定部により分担処理とすると判定された場合に、処理内容に基づいて、前記端末装置から要求された処理を、当該画像処理装置に実行させる処理と、前記他の画像処理装置に実行させる処理と、に分類して実行させる制御部、
として機能させる。
【発明の効果】
【００２０】
本発明によれば、端末装置からの要求に基づいて処理を実行する画像処理装置において、当該処理の内容に基づいて、適した画像処理装置に分担して実行させることが可能な画像処理装置、画像処理システム及びプログラムを提供することができる。
【図面の簡単な説明】
【００２１】
【図１】画像処理システムの概略構成を示す図である。
【図２】画像処理装置のハードウェア構成の一例を示す図である。
【図３】端末装置のハードウェア構成の一例を示す図である。
【図４】通常モード時の画像処理装置と端末装置との接続状態を示す図である。
【図５】表示画面の一例を示す図である。
【図６】仲介モード時の画像処理装置と端末装置との接続状態を示す図である。
【図７】モード設定処理における画像処理装置の動作を示すフローチャートである。
【図８】実行処理における画像処理装置の動作を示すフローチャートである。
【図９】通常モード時のＨＯＭＥ画面表示処理における各部の動作を示すラダーチャートである。
【図１０】仲介モード時のＨＯＭＥ画面表示処理における各部の動作を示すラダーチャートである。
【図１１】仲介モード時のコピー実行時における各部の動作を示すラダーチャートである。
【図１２】仲介モード時のＳｃａｎＴｏＥｍａｉｌ実行時における各部の動作を示すラダーチャートである。
【発明を実施するための形態】
【００２２】
以下、図面を参照して、本発明に係る画像処理装置の実施の形態について説明する。なお、本発明は、図示例に限定されるものではない。
【００２３】
［画像処理システムの構成］
図１は、画像処理システム１００の全体的な構成の例を示す図である。
画像処理システム１００は、図１に示すように、画像処理装置１Ａ、画像処理装置１Ｂ、端末装置２、及び通信回線３などによって構成される。なお、画像処理システム１００を構成する画像処理装置１は二以上であれば特に限定されず、端末装置２の数は一以上であれば特に限定されない。本実施形態においては、二台の画像処理装置１Ａ及び画像処理装置１Ｂ、並びに一台の端末装置２によって構成されるものとする。
【００２４】
画像処理装置１Ａ及び画像処理装置１Ｂは、通信回線３を介して通信することができる。通信回線３として、インターネット、ＬＡＮ（Local Area Network）、公衆回線、または専用線などが用いられ、ハブ３１、ルーター３２、及び無線基地局３３等を備えて構成される。
ルーター３２は、ＬＡＮをインターネットなどの他のネットワークに接続する。
各画像処理装置１は、ツイストペアケーブルによってハブ３１につながれている。ハブ３１は、ツイストペアケーブルによってルーター３２につながれている。ハブ３１及び無線基地局３３は、複数台あってもよい。
なお、遠隔地に存在する画像処理装置１Ａ及び画像処理装置１Ｂは、それぞれ異なる通信回線（ハブ３１Ａ及びルーター３２Ａ、あるいはハブ３１Ｂ及びルーター３２Ｂ）によってインターネットに接続され、インターネットを介して通信することができる。
無線基地局３３は、無線ＬＡＮのＢＳ（Base Station）であって、端末装置２の無線ＬＡＮ通信装置２０ｆと通信を行う。端末装置２は、ハブ３１Ｃ、ルーター３２Ｃ及び無線基地局３３を介してインターネットに接続され、インターネットを介して画像処理装置１と通信することができる。
なお、各画像処理装置１と端末装置２とは、後述する近距離無線通信装置１０及び近距離無線通信装置２０を用いて接続されることも可能である。
【００２５】
画像処理装置１は、スキャン、コピー、ＰＣプリント、メール、ファックス、及びボックスなどのサービスを提供する。このような機能を有する画像処理装置は、一般に、複合機あるいはＭＦＰ（Multi-Function Peripherals）などと呼ばれる。
【００２６】
スキャンサービスは、後述するスキャンユニット１０ｉによって用紙上の画像を読み取って画像データを生成するサービスである。
コピーサービスは、スキャンユニット１０ｉによって読み取って得られた画像データに基づいて、画像を用紙に印刷するサービスである。
ＰＣプリントサービスは、パーソナルコンピューターまたはスマートフォンなどの端末装置２から受信した画像データに基づいて、画像を用紙に印刷するサービスである。ネットワークプリンティングあるいはネットワークプリントなどと呼ばれることもある。
メールサービスは、スキャンユニット１０ｉによって読み取って得られた画像データを、指定された電子メールアドレス宛に送信するサービスである。
ファックスサービスは、スキャンユニット１０ｉによって読み取って得られた画像データを、外部のファクシミリ端末に送信するサービスである。
ボックスサービスは、ユーザーごとにボックスあるいはパーソナルボックスなどと呼ばれる記憶領域を与えておき、各ユーザーが自分の記憶領域によって画像データなどを保存し管理するためのサービスである。ボックスは、パーソナルコンピューターにおけるフォルダ又はディレクトリに相当する。
【００２７】
図２は、画像処理装置のハードウェア構成の一例を示す図である。
画像処理装置１は、図２に示すように、ＣＰＵ（Central Processing Unit）１０ａ、ＲＡＭ（Random Access Memory）１０ｂ、ＲＯＭ（Read Only Memory）１０ｃ、補助記憶装置１０ｄ、タッチパネルディスプレイ１０ｅ、操作キーパネル１０ｆ、ＮＩＣ（Network Interface Card）１０ｇ、モデム１０ｈ、スキャンユニット１０ｉ、プリントユニット１０ｊ、及び近距離無線通信装置１０ｋなどによって構成される。
なお、ＣＰＵ１０ａは、ＵＩ提供部、判定部、制御部、識別情報取得部、位置情報取得部、距離算出部及び監視部として機能する。
【００２８】
補助記憶装置１０ｄは、ＨＤＤ（Hard Disc Drive）やＳＳＤ（Solid State Drive）などによって構成された記憶装置であり、画像処理装置１の各部の動作を制御するためのプログラムや、Ｗｅｂブラウザーを実現するためのＷｅｂブラウザープログラム等が記憶されている。
さらに、補助記憶装置１０ｄには、端末装置２に搭載されたＷｅｂブラウザーとＨＴＴＰプロトコルによる通信を行ってＷｅｂブラウザーにＵＩ（User Interface）を提供するＷｅｂサーバーとしての機能を実現させるためのＷｅｂサーバープログラムや、Ｗｅｂサーバー上で動作し、Ｗｅｂブラウザーを介してユーザーにＷｅｂＵＩ（Web User Interface）機能を提供するためのアプリケーションプログラム等が記憶されている。
なお、ＷｅｂＵＩとは、タッチパネルディスプレイ１０ｅに表示される表示画面を端末装置２に表示させることで、端末装置２を介してユーザーが画像処理装置１を遠隔的に操作可能とするサービスである。
また、補助記憶装置１０ｄには、後述する仲介モードにおける各機能の処理分担テーブルが記憶されている。
なお、各プログラムは、必要に応じてＲＡＭ１０ｂにロードされ、ＣＰＵ１０ａによって実行される。
また、補助記憶装置１０ｄは、記憶部として機能する。
【００２９】
タッチパネルディスプレイ１０ｅは、ＣＲＴ（Cathode Ray Tube）やＬＣＤ（Liquid Crystal Display）等のモニタを備えて構成されており、ユーザーに対するメッセージを示す画面、ユーザーがコマンドまたは情報を入力するための画面、及びＣＰＵ１０ａが実行した処理の結果を示す画面などを表示する。また、タッチパネルディスプレイ１０ｅは、タッチされた位置を示す信号をＣＰＵ１０ａへ送る。
なお、タッチパネルディスプレイ１０ｅは、表示部として機能する。
【００３０】
操作キーパネル１０ｆは、いわゆるハードウェアキーボードであって、テンキー、スタートキー、ストップキー、およびファンクションキーなどによって構成される。
【００３１】
ＮＩＣ１０ｇは、ＴＣＰ／ＩＰ（Transmission Control Protocol/Internet Protocol）などのプロトコルによって、他の画像処理装置１や通信回線３との通信を行う。
なお、ＮＩＣ１０ｇは、第１の通信部及び第２の通信部として機能する。
【００３２】
モデム１０ｈは、外部のファクシミリ端末との間でＧ３などのプロトコルで画像データをやり取りする。
【００３３】
スキャンユニット１０ｉは、ＣＣＤ（Charge Coupled Device）、プラテンガラス等を備えて構成され、プラテンガラスの上にセットされたシートに記されている画像をＣＣＤにより読み取って画像データを生成する。
【００３４】
プリントユニット１０ｊは、スキャンユニット１０ｉにより読み取られた画像のほか、ＮＩＣ１０ｇまたはモデム１０ｈによって他の装置から受信した画像を用紙に印刷する。
【００３５】
近距離無線通信装置１０ｋは、近距離無線通信の規格に基づいて通信を行うものであり、端末装置２との通信に用いられる。本実施形態においては、近距離無線通信装置１０ｋとして、Ｂｌｕｅｔｏｏｔｈ（登録商標）の規格に対応する装置が用いられるものとする。
なお、近距離無線通信装置１０ｋは、第３の通信部として機能する。
【００３６】
続いて、端末装置２について説明する。
端末装置２は、画像処理装置１の上述の機能を遠隔的に使用するためのクライアントである。ユーザーは、上述した種々の画像処理装置１の機能を、端末装置２を用いて遠隔的に操作することができる。
端末装置２として、スマートフォン、またはタブレット型コンピューターなどの可搬型の装置が用いられる。以下、端末装置２としてスマートフォンが用いられるものとして説明する。
【００３７】
図３は、端末装置２のハードウェア構成の一例を示す図である。
端末装置２は、図３に示すように、ＣＰＵ２０ａ、ＲＡＭ２０ｂ、フラッシュメモリ１０ｃ、タッチパネルディスプレイ２０ｄ、操作ボタン群２０ｅ、無線ＬＡＮ通信装置２０ｆ、近距離無線通信装置２０ｇ及び携帯電話通信装置２０ｈなどによって構成される。また、端末装置２には、Ｗｅｂブラウザーや写真撮影ソフトウェアといったアプリケーションソフトウェアが搭載されている。
【００３８】
フラッシュメモリ２０ｃには、文書作成用のアプリケーション（例えば、ワープロソフト）、メーラー及びスケジューラー等のアプリケーションプログラムが記憶されている。
また、フラッシュメモリ２０ｃには、Ｗｅｂブラウザーを実現するためのＷｅｂブラウザープログラム等が記憶されている。
さらに、フラッシュメモリ２０ｃには、ＷｅｂＵＩ機能の提供を受けるためのアプリケーションプログラム等が記憶されている。
なお、各プログラムは、必要に応じてＲＡＭ２０ｂにロードされ、ＣＰＵ２０ａによって実行される。
【００３９】
タッチパネルディスプレイ２０ｄは、画像処理装置１のタッチパネルディスプレイ１０ｅと同様に、種々の画面を表示し、タッチされた位置を検知してＣＰＵ２０ａにその位置を通知する。なお、上述の通り、ＷｅｂＵＩ機能の提供を受けることにより、端末装置２のタッチパネルディスプレイ２０ｄをタッチパネルディスプレイ１０ｅの代わりに使用することができる。
【００４０】
操作ボタン群２０ｅは、いわゆるホーム画面に戻るためのボタン、音量を調整するためのボタン、及び電源のＯＮ／ＯＦＦを切り替えるためのボタンなどによって構成される。
【００４１】
無線ＬＡＮ通信装置２０ｆは、無線ＬＡＮの規格、即ちＩＥＥＥ（Institute of Electrical Engineers）８０２．１１の規格に基づいて通信を行う。
【００４２】
近距離無線通信装置２０ｇは、画像処理装置１の近距離無線通信装置１０ｋと同様の規格に基づいて通信を行うものであり、画像処理装置１との近距離無線通信に用いられる。本実施形態においては、近距離無線通信装置２０ｇは、Ｂｌｕｅｔｏｏｔｈの規格に対応した装置を用いるものとする。
【００４３】
携帯電話通信装置２０ｈは、ＣＭＤＡ（Code Division Multiple Access）２０００、Ｗ−ＣＭＤＡ（Wideband-CMDA）、又はＬＴＥ（Long Term Evolution）などの規格に基づいて、いわゆる携帯電話網を介して通信を行う。
【００４４】
［仲介モード］
仲介モードとは、端末装置２と接続された画像処理装置１が、端末装置２から他の画像処理装置１へのジョブの実行指示の仲介を行うことで、端末装置２からの要求を他の画像処理装置１に実行させることが可能としたモードであって、端末装置２からの要求を、画像処理装置１Ａ及び他の画像処理装置１とによる分担処理を行うモードである。
なお、これに対して、画像処理装置１との仲介を行わず、端末装置２と接続された画像処理装置１自身が処理を行うモードを通常モードとし、端末装置２からの要求を、画像処理装置１Ａのみによる自己処理とする。
【００４５】
以下、画像処理装置１における仲介モードの設定方法について、図面を参照しながら説明する。
画像処理装置１と端末装置２とは、上述したように、通信回線３を介して接続される。端末装置２は画像処理装置１のいずれとも接続されることが可能であるが、ユーザーのオフィス内に設置された画像処理装置１など、ユーザーが頻繁に利用する特定の画像処理装置１と接続されているものとする。
【００４６】
図４は、通常モード時の画像処理装置１と端末装置２との接続状態を示す図である。図４に示すように、ユーザー４が利用する端末装置２は、頻繁に利用する画像処理装置１Ａと常時接続されている。
ユーザー４が端末装置２を操作して画像処理装置１Ａの機能を利用する場合、画像処理装置１Ａは、ＷｅｂＵＩの機能により、画像処理装置１Ａのタッチパネルディスプレイ１０ｅに表示される表示画面２００を端末装置２のタッチパネルディスプレイ２０ｄに表示させる。ユーザー４は、端末装置２のタッチパネルディスプレイ２０ｄを操作することによって、スキャンサービスやコピーサービスなど、画像処理装置１Ａの各種機能を実行させる。
【００４７】
ここで、ユーザーが出張先など画像処理装置１Ａから遠く離れた地に移動した場合、スキャンサービスやコピーサービスなどの機能は、画像処理装置１Ａではなく、ユーザーの近傍に存在する画像処理装置１のものを利用する。画像処理装置１Ａは、ユーザーの近傍に存在する他の画像処理装置１を特定し、仲介モードに設定する。
【００４８】
仲介モードに設定するか否かは、画像処理装置１ＡのＣＰＵ１０ａは、端末装置２と画像処理装置１Ａとの距離が所定の距離以上であるか否かに基づいて判断する。所定の距離とは、画像処理装置１Ａと端末装置２とが近距離無線通信を確立可能な距離であり、本実施形態においてはＢｌｕｅｔｏｏｔｈの規格に対応した距離としての固定値である。
【００４９】
画像処理装置１Ａと端末装置２との距離は、公知の方法によって検知することができる。例えば、画像処理装置１Ａが端末装置２に対して位置情報の要求を行うと、端末装置２のＣＰＵ２０ａは、モバイルネットワークからの位置情報やＧＰＳ（Global Positioning System）などの測位システムによって端末装置２自身の位置を測位し、当該位置情報を画像処理装置１Ａに送信する。画像処理装置１Ａは、位置情報を受信すると、当該位置情報と自身の位置とに基づいて、端末装置２との距離を算出する。
なお、各画像処理装置１は所定の場所に設置されているため、各画像処理装置１の位置は、予め端末装置２に記憶させておけばよい。
【００５０】
そして、画像処理装置１Ａは、算出された距離が所定の距離以上であると場合に、仲介モードに設定する。一方で、所定の距離未満である場合には、通常モードに設定する。
【００５１】
仲介モードに設定されると、画像処理装置は、通信回線３上に配置され、画像処理装置１Ａと通信可能な画像処理装置１のうち、端末装置２の位置情報に基づいて端末情報２の近傍に設置された画像処理装置１を仲介先候補として特定する。続いて、画像処理装置１は、これら仲介先候補のうちの、一の画像処理装置１を選択させるための表示画面２００作成し、ＷｅｂＵＩの機能により端末装置２のタッチパネルディスプレイ２０ｄに表示させ、ユーザーが利用する画像処理装置１をユーザー自身によって選択させる。
【００５２】
図５は、タッチパネルディスプレイ２０ｄに表示される表示画面２００の一例を示す図である。図５に示すように、画像処理装置１Ａは、表示画面２００端末装置２が利用可能な画像処理装置１として画像処理装置１Ｂを示した選択部２１０を表示する。ユーザー４は、タッチパネルディスプレイ２０ｄ上を操作して、利用する画像処理装置１として画像処理装置１Ｂを選択する。そして、画像処理装置１Ａは、画像処理装置１ＢのＩＰアドレスや装置名などの識別情報を取得する。具体的には、画像処理装置１Ａは通信可能な他の画像処理装置１と、当該画像処理装置１との識別情報とを対応付けたテーブルを予め保持しており、ユーザーにより指定された画像処理装置１Ｂの識別情報を、テーブルを参照して特定することが可能である。
なお、図５に示すように、ユーザー４が画像処理装置１に付与されたＩＰアドレスを、選択部２１０に入力することによって、任意の画像処理装置１を選択させるものとしてもよい。
【００５３】
なお、ユーザー４が端末装置２と画像処理装置１Ｂとを接続させるとともに、画像処理装置１ＡのＷｅｂＵＩ機能を利用することを指定してもよい。この場合、ユーザー４に、画像処理装置１ＢのＩＰアドレスを入力させるとこで、画像処理装置１Ａは画像処理装置１Ｂの識別情報を取得することができる。
なお、画像処理装置１Ａから端末装置２へのＷｅｂＵＩ機能を、画像処理装置１Ｂが仲介する。
【００５４】
画像処理装置１Ｂが選択されると、画像処理装置１Ａは画像処理装置１Ｂを仲介先として設定し、画像処理装置１Ｂの機能を利用可能となる。
【００５５】
続いて、仲介モードにおける分担処理について説明する。
図６は、仲介モード時の画像処理装置１と端末装置２の接続状態を示す図である。
仲介モードにおいては、まず、画像処理装置１Ａは、通常の利用時と同様に、画像処理装置１ＡのＷｅｂＵＩの機能により、画像処理装置１Ａのタッチパネルディスプレイ１０ｅに表示される表示画面２００を、通信回線３を介して端末装置２のタッチパネルディスプレイ２０ｄに表示させる。このとき表示される表示画面２００は、その画面要素（各種機能や設定条件を指定するためのボタンなど）の種類やレイアウトなどは、通常モードと共通している。
ユーザー４は、端末装置２のタッチパネルディスプレイ２０ｄを操作し、スキャンサービスやコピーサービスなど、各種機能の実行を指示する。
【００５６】
続いて、画像処理装置１Ａは、端末装置２からの要求を受け付けると、当該要求に係る処理を画像処理装置１Ｂに実行させるか、あるいは画像処理装置１Ａ自身が実行するかを分類する。具体的には、画像処理装置１Ａは、各機能をいずれの画像処理装置１によって実行するかを定めた処理分担テーブルに基づいて上記分類を行う。
【００５７】
例えば、ユーザー４がスキャンユニット１０ｉによって読み取った画像データを、指定した電子メールアドレス宛に送信する、ＳｃａｎＴｏＥｍａｉｌ機能を利用する場合においては、画像処理装置１Ａは、端末装置２に表示させるための宛先一覧を表示した表示画面２００を生成するが、ユーザー４は普段から利用している画像処理装置１Ａの補助記憶装置１０ｄ（記憶部）に記憶されている宛先一覧の利用を希望していると考えられる。したがって、宛先一覧の表示は画像処理装置１Ａ自身が実行する処理に分類される。
一方で、スキャンは、ユーザー４の近傍に存在する画像処理装置１Ｂのスキャンユニット１０ｉを用いて実行するべきであるため、画像処理装置１Ｂが実行する処理に分類される。
【００５８】
その他、画像処理装置１Ａが実行する処理に分類される例としては、ボックスサービスを実行する際に、画像データを画像処理装置１Ａの記憶領域に保存する場合、ＦＡＸサービス利用時に画像処理装置１Ａが保有する宛先一覧を表示した表示画面２００を生成する場合などが想定される。
また、画像処理装置１Ｂが実行する処理に分類される例としては、コピーサービス、ＰＣプリントサービス等のほか、ＨＯＬＤ、セキュアプリント、蓄積プリント等のように画像処理装置１Ｂの処理が不要な処理が挙げられ、この場合画像処理装置１Ａから画像処理装置１Ｂに向けて選択されたファイルのプリント指示を行い、画像処理装置１Ｂが当該機能を実行することが想定される。
【００５９】
［画像処理装置１Ａの動作］
続いて、図面を参照して画像処理装置１Ａの具体的な動作を説明する。
図７は、モード設定処理を示すフローチャートである。モード設定処理は、端末装置２と画像処理装置１Ａとの距離に基づいて、仲介モードあるいは通常モードの何れかに設定する処理である。なお、モード設定処理は、画像処理装置１ＡのＣＰＵ１０ａと補助記憶装置１０ｄに記憶されたプログラムとの協働により実現する。
【００６０】
モード設定処理においては、まず、画像処理装置１ＡのＣＰＵ１０ａ（位置情報取得部）は、端末装置２からの接続を確認すると（ステップＳ１１）、端末装置２の位置情報を取得する（ステップＳ１２）。
【００６１】
続いて、ＣＰＵ１０ａ（距離算出部）は、端末装置２の位置情報に基づいて当該端末装置２との距離を算出し、所定の距離以内であるか否かを判断する（ステップＳ１３）。ＣＰＵ１０ａは、所定の距離以内であると判断すると（ステップＳ１３：Ｙｅｓ）、ステップＳ１４へと移行するが、所定の距離以内ではないと判断すると、ステップＳ１５へと移行する。
【００６２】
ステップＳ１４では、ＣＰＵ１０ａ（判定部）は、端末装置２が画像処理装置１Ａの自己処理のみとする通常モードに設定し、モード設定処理を終了する。
【００６３】
ステップＳ１５では、ＣＰＵ１０ａは、仲介先の画像処理装置１の選択部を示した表示画面２００（仲介先選択ＵＩ）を生成する。
続いて、ＣＰＵ１０ａ（識別情報取得部）は、仲介先情報を取得したか否かを判断する（ステップＳ１６）。仲介先情報とは、仲介先が選択されたことを示す情報と、当該仲介先の画像処理装置１の識別情報と、を含む情報である。ＣＰＵ１０ａ（判定部）は、取得していないと判断すると（ステップＳ１６：ＮＯ）、ステップＳ１６の処理を繰り返すが、取得したと判断すると（ステップＳ１６：ＹＥＳ）、仲介先の画像処理装置１に接続し（ステップＳ１７）、仲介モードに設定し（ステップＳ１８）、モード設定処理を終了する。
【００６４】
続いて、端末装置２から要求された処理の実行時における、画像処理装置１Ａの動作について説明する。
図８は、画像処理装置１Ａの実行処理を示すフローチャートである。なお、実行処理は、画像処理装置１ＡのＣＰＵ１０ａと補助記憶装置１０ｄに記憶されたプログラムとの協働により実現する。
【００６５】
まず、画像処理装置１ＡのＣＰＵ１０ａ（ＵＩ提供部）は、表示画面２００を表示するためのデータを生成するとともに、端末装置２に当該データを送信してタッチパネルディスプレイ２０ｄに表示させる（ステップＳ２１）。
続いて、ＣＰＵ１０ａは、ユーザー４により処理の要求がされたか否かを判断する（ステップＳ２２）。ＣＰＵ１０ａは、要求がされていないと判断すると（ステップＳ２２：ＮＯ）、ステップＳ２２の処理を繰り返すが、要求がされたと判断すると（ステップＳ２２：ＹＥＳ）、ステップＳ２３へと移行する。
【００６６】
ステップＳ２３では、ＣＰＵ１０ａは、仲介モードであるか否かを判断する。ＣＰＵ１０ａは、仲介モードではない、即ち通常モードであると判断すると（ステップＳ２３：ＮＯ）、要求された処理を全て自己処理し、実行処理を終了する。
一方で、ＣＰＵ１０ａは、仲介モードであると判断すると（ステップＳ２３：ＹＥＳ）、ステップＳ２５へ移行する。
【００６７】
ステップＳ２５では、ＣＰＵ１０ａ（制御部）は、処理分担判定を実行する。処理分担判定とは、上述したように、処理分担テーブルを参照して処理の分類を行う動作である。
ＣＰＵ１０ａは、処理分担判定の結果、仲介先の画像処理装置１に実行させる処理が存在するか否かを判断する（ステップＳ２６）。ＣＰＵ１０ａは、仲介先の画像処理装置１が実行する処理が存在すると判断すると（ステップＳ２６：ＹＥＳ）、ステップＳ２７へと移行するが、存在しないと判断すると（ステップＳ２６：ＮＯ）、自己処理を実行し（ステップＳ２４）、機能実行処理を終了する。
【００６８】
ステップＳ２７においては、ＣＰＵ１０ａは、自己処理を実行し、続いて仲介先の画像処理装置１に処理を実行させる（ステップＳ２８）。なお、ステップＳ２７の処理とステップＳ２８の処理とは、逆の順であってもよい。
ＣＰＵ１０ａは、処理を終了したか否かを判断し（ステップＳ２９）、終了していないと判断すると（ステップＳ２９：ＮＯ）、ステップＳ２７へと戻るが、終了したと判断すると（ステップＳ２９：ＹＥＳ）、実行処理を終了する。
【００６９】
［画像処理システム１００の動作］
以下、図面を参照して画像処理システム１００を構成する各部の動作を説明する。
図９及び図１０は、画像処理装置１Ａが端末装置２のタッチパネルディスプレイ２０ｄに、ＨＯＭＥ画面を表示させる、ＨＯＭＥ画面表示処理における画像処理システム１００を構成する各部の動作を示すラダーチャートである。
【００７０】
図９は、画像処理装置１Ａが通常モードに設定された場合の動作を表す。
まず、ユーザー４が端末装置２を操作してＷｅｂブラウザーを開くと（ステップＳ１０１）、端末装置２は、画像処理装置１ＡのＷｅｂＵＩにアクセスする（ステップＳ１０２）。
【００７１】
続いて、画像処理装置１Ａは、通常モードに設定する（ステップＳ１０３）。なお、通常モードの設定は、図７のモード設定処理にしたがって実行される。
【００７２】
ステップＳ１０４では、画像処理装置１Ａは表示画面２００としてのＨＯＭＥ画面を表示するためのデータを生成し、当該データを端末装置２に送信する。
端末装置２は、ＨＯＭＥ画面を表示するためのデータを受信すると、タッチパネルディスプレイ２０ｄにＨＯＭＥ画面を表示させる（ステップＳ１０５）。
以上により、通常モード設定時のＨＯＭＥ画面表示処理を終了する。
【００７３】
一方で、図１０は、仲介モードに設定した場合の動作を表す。
ステップＳ２０１及びステップＳ２０２の処理は、図９のステップＳ１０１及びステップＳ１０２の処理と同様であるため、説明を省略する。
ステップＳ２０３では、画像処理装置１Ａは、仲介モードに設定する。なお、仲介モードの設定は、図７のモード設定処理にしたがって実行される。
【００７４】
ステップＳ２０４では、画像処理装置１は、仲介先候補となる画像処理装置１を特定する。
続いて、画像処理装置１Ａは、仲介先候補の画像処理装置１をユーザー４に選択させるための選択画面のデータを生成し、当該データを端末装置２に送信する（ステップＳ２０５）。
【００７５】
端末装置２は、選択画面のデータを受信すると、タッチパネルディスプレイ２０ｄに選択画面を表示させる（ステップＳ２０６）。
続いて、ユーザー４は、選択画面を参照し、タッチパネルディスプレイ２０ｄを操作して画像処理装置１Ｂを選択する（ステップＳ２０７）。端末装置２は、画像処理装置１Ｂの選択を受け付けると、画像処理装置１Ｂの選択を画像処理装置１Ａに送信する（ステップＳ２０８）。
【００７６】
画像処理装置１Ａは、画像処理装置１Ｂの選択を受け付けると、画像処理装置１Ｂに接続する（ステップＳ２０９）。
画像処理装置１Ｂは、画像処理装置１Ａに接続されると、画像処理装置１Ａに装置情報を送信する（ステップＳ２１０）。装置情報とは、画像処理装置１Ｂの状態情報や、ユーザー４が利用可能な画像処理装置１Ｂが保有する機能等の情報を指す。
【００７７】
画像処理装置１Ａは、装置情報を受信すると、表示画面２００としてのＨＯＭＥ画面のデータを生成し、当該データを端末装置２に送信する（ステップＳ２１１）。
端末装置２は、ＨＯＭＥ画面を表示するためのデータを受信すると、タッチパネルディスプレイ２０ｄにＨＯＭＥ画面を表示させる（ステップＳ２１２）。
以上により、仲介モード設定時のＨＯＭＥ画面表示処理を終了する。
【００７８】
続いて、仲介モードにおける、画像処理システム１００を構成する各部の動作を説明する。
図１１及び図１２は、画像処理装置１Ａが仲介モードに設定された場合において、ユーザーから指定された機能を実行する際の各部の動作を示すラダーチャートである。
【００７９】
図１１は、ユーザーによりコピーの実行が指定された場合の動作を示す。
まず、図１０のＨＯＭＥ画面表示処理により、端末装置２のタッチパネルディスプレイ２０ｄにＨＯＭＥ画面を表示すると（ステップＳ３０１）、ユーザーはＨＯＭＥ画面からコピー機能を選択し、ボタンを押下する（ステップＳ３０２）。
端末装置２は、選択を受け付けると、当該選択を画像処理装置１Ａに送信する（ステップＳ３０３）。
【００８０】
画像処理装置１Ａは、選択を受け付けると、処理分担判定を行い、コピー機能を画像処理装置１Ｂで実行することを決定する（ステップＳ３０４）。
続いて、画像処理装置１Ａは、実行指示画面を表示するためのデータを生成し、当該データを端末装置２に送信する（ステップＳ３０５）。実行指示画面には、選択された送信先を表示されるほか、例えば画質や用紙サイズ、モノクロ／カラー、両面／片面等の印刷条件を設定するためのボタン等が表示される。
端末装置２は、実行指示画面を表示するためのデータを受信すると、タッチパネルディスプレイ２０ｄに実行指示画面を表示させる（ステップＳ３０６）。
【００８１】
ユーザー４は、実行指示画面を操作して、印刷条件等を設定のうえスタートキーを押下して、コピー機能の実行を指示する（ステップＳ３０７）。
端末装置２は、実行指示を受け付けると、当該実行指示を画像処理装置１Ａに送信する（ステップＳ３０８）。
【００８２】
続いて、画像処理装置１Ａは、画像処理装置１Ｂに対して実行指示を行う（ステップＳ３０９）。実行指示とは、画像処理装置１Ｂのコピー機能によって印刷を実行するようにコマンドを送る処理である。具体的には、画像処理装置１Ａから画像処理装置１ＢのＷｅｂＵＩへのアクセスは、例えばｈｔｔｐ：／／／＜ＩＰアドレス＞／＜ＣＯＰＹ＞…といった形式で行う。
【００８３】
画像処理装置１Ｂは、送信設定指示及び実行指示を受け付けると、コピー機能を実行する（ステップＳ３１０）。即ち、ユーザーが画像処理装置１Ｂのスキャンユニット１０ｉに設置した用紙上の画像の読み取り、用紙に出力する。
一方で、端末装置２は、タッチパネルディスプレイ２０ｄに、コピー機能を実行中である旨を表示した表示画面２００を表示させる（ステップＳ３１１）。
【００８４】
画像処理装置１Ｂは、コピー機能の実行を完了すると、完了した旨の通知を画像処理装置１Ａに送信する（ステップＳ３１２）。
画像処理装置１Ａは、完了通知を受信すると、コピー機能の実行を完了した旨を表示する完了画面を表示するためのデータを生成し、端末装置２に送信する（ステップＳ３１３）。
端末装置２は、完了画面を表示するためのデータを受信すると、タッチパネルディスプレイ２０ｄに完了画面を表示させ（ステップＳ３１４）、制御を終了する。
【００８５】
続いて、図１２は、ユーザーによりＳｃａｎＴｏＥｍａｉｌの実行が指定された場合の動作を示す。
まず、図１０のＨＯＭＥ画面表示処理により、端末装置２のタッチパネルディスプレイ２０ｄにＨＯＭＥ画面を表示すると（ステップＳ４０１）、ユーザーはＨＯＭＥ画面からＳｃａｎＴｏＥｍａｉｌ機能を選択し、ボタンを押下する（ステップＳ４０２）。
端末装置２は、選択を受け付けると、当該選択を画像処理装置１Ａに送信する（ステップＳ４０３）。
【００８６】
画像処理装置１Ａは、選択を受け付けると、処理分担判定を行い、ＳｃａｎＴｏＥｍａｉｌ機能において行われる各処理をいずれの画像処理装置１Ａで実行するかを決定する（ステップＳ４０４）。これにより、ＳｃａｎＴｏＥｍａｉｌ機能のうちスキャン機能は画像処理装置１Ｂにおいて実行し、ＳｃａｎＴｏＥｍａｉｌ画面に表示する宛先一覧は、画像処理装置１Ａが保有する宛先データを利用するものとして決定する。
続いて、画像処理装置１Ａは、画像処理装置１Ａが保有する宛先一覧等を表示したＳｃａｎＴｏＥｍａｉｌ画面を表示するためのデータを生成し、当該データを端末装置２に送信する（ステップＳ４０５）。
【００８７】
端末装置２は、ＳｃａｎＴｏＥｍａｉｌ画面を表示するためのデータを受信すると、タッチパネルディスプレイ２０ｄにＳｃａｎＴｏＥｍａｉｌ画面を表示させる（ステップＳ４０６）。
続いて、ユーザー４は、ＳｃａｎＴｏＥｍａｉｌ画面に表示された宛先一覧から、送信先等を選択して、送信設定を実行する（ステップＳ４０７）。端末装置２は、送信設定を受け付けると、画像処理装置１Ａに当該設定を送信する（ステップＳ４０８）。
【００８８】
続いて、画像処理装置１Ａは、実行指示画面を表示するためのデータを生成し、当該データを端末装置２に送信する（ステップＳ４０９）。実行指示画面には、選択された送信先を表示されるほか、例えば画質やモノクロ／カラー等のスキャン条件を設定するためのボタン等が表示される。
端末装置２は、実行指示画面を表示するためのデータを受信すると、タッチパネルディスプレイ２０ｄに実行指示画面を表示させる（ステップＳ４１０）。
【００８９】
ユーザー４は、実行指示画面を操作して、スキャン条件等を設定のうえスタートキーを押下して、ＳｃａｎＴｏＥｍａｉｌ機能の実行を指示する（ステップＳ４１１）。
端末装置２は、実行指示を受け付けると、当該実行指示を画像処理装置１Ａに送信する（ステップＳ４１２）。
【００９０】
画像処理装置１Ａは、実行指示を受け付けると、画像処理装置１Ｂに対して送信設定指示を行う（ステップＳ４１３）。送信設定指示とは、画像処理装置１Ｂのスキャン機能によってスキャンを実行するとともに、当該画像データをユーザー４が選択した宛先に送信するようにコマンドを送る処理である。具体的には、画像処理装置１Ａから画像処理装置１ＢのＷｅｂＵＩへのアクセスは、例えばｈｔｔｐ：／／／＜ＩＰアドレス＞／＜ＳｃａｎＴｏ＞＜宛先＞…といった形式で行う。
さらに、画像処理装置１Ａは、画像処理装置１Ｂに対してＳｃａｎＴｏＥｍａｉｌ機能の実行指示を行う（ステップＳ４１４）。
【００９１】
画像処理装置１Ｂは、送信設定指示及び実行指示を受け付けると、ＳｃａｎＴｏＥｍａｉｌ機能を実行する（ステップＳ４１５）。即ち、ユーザーが画像処理装置１Ｂのスキャンユニット１０ｉに設置した用紙上の画像の読み取りを開始し、画像データを生成するとともに、設定された送信先に当該画像データを送信する。
一方で、端末装置２は、タッチパネルディスプレイ２０ｄに、ＳｃａｎＴｏＥｍａｉｌを実行中である旨を表示した表示画面２００を表示させる（ステップＳ４１６）。
【００９２】
画像処理装置１Ｂは、ＳｃａｎＴｏＥｍａｉｌ機能の実行を完了すると、完了した旨の通知を画像処理装置１Ａに送信する（ステップＳ４１７）。
画像処理装置１Ａは、完了通知を受信すると、ＳｃａｎＴｏＥｍａｉｌ機能の実行を完了した旨を表示する完了画面を表示するためのデータを生成し、端末装置２に送信する（ステップＳ４１８）。
端末装置２は、完了画面を表示するためのデータを受信すると、タッチパネルディスプレイ２０ｄに完了画面を表示させ（ステップＳ４１９）、制御を終了する。
【００９３】
以上説明したように、本実施形態に係る画像処理装置１Ａは、端末装置にユーザーインターフェースを提供して画像処理装置１Ａの遠隔操作を可能とするとともに、自己処理を行う通常モードとするか、他の画像処理装置１Ｂと分担処理を行う仲介モードとするかを判定し、仲介モードに設定した場合に、更にユーザーから要求された処理を、その内容に基づいていずれの画像処理装置１によって実行するかを分類して、各画像処理装置１に実行させる。したがって、仲介モードに設定された場合であっても、処理内容に基づいて当該処理を実行するのに適した画像処理装置１に処理を分担させることで、ユーザーにとっての利便性が向上する。
【００９４】
また、本実施形態に係る画像処理装置１Ａは、通常モード（自己処理）あるいは仲介モード（分担処理）の何れであるかによらず、ＷｅｂＵＩにより共通の表示画面２００を提供する。したがって、ユーザーがいずれのモードにおいても同一の表示画面２００を操作することが可能であるため、ユーザーにとって利便性が高い。
【００９５】
また、本実施形態に係る画像処理装置１Ａは、機能を分担することを決定した画像処理装置１Ｂの識別情報を取得する。したがって、画像処理装置１Ａは画像処理装置１Ｂにアクセス可能となり、画像処理装置１Ｂを操作して処理を実行させることができる。
【００９６】
また、本実施形態に係る画像処理装置１Ａは、処理分担テーブルに基づいて、端末装置２から要求された処理を、自身で処理するか、あるいは画像処理装置１Ｂに処理させるかを決定する。したがって、予め設定された好適な条件下で分担処理を実行することができる。
【００９７】
また、本実施形態に係る画像処理装置１Ａは、宛先一覧などユーザーが編集可能な情報を補助記憶装置１０ｄ（記憶部）に記憶させ、当該編集可能な情報を用いた処理を自身で実行する。したがって、ユーザーが普段から利用している画像処理装置１Ａが有する情報を用いて処理を行うことができ、ユーザーにとって便宜である。
【００９８】
また、本実施形態に係る画像処理装置１Ａは、端末装置２の位置情報を取得し、端末装置２と画像処理装置１Ａとの距離が所定の距離以上である場合には、仲介モード（分担処理）を実行するとして決定する。
したがって、ユーザーが画像処理装置１Ａではなく、他の画像処理装置１を利用する方が望ましい状況であることを確実に検出して、仲介モードに設定することができる。
【００９９】
なお、仲介モード（分担処理）を実行するか否かは、画像処理装置１Ａの近距離無線通信装置１０ｋ（第３の通信部）と端末装置２の近距離無線通信装置２０ｇとの間で近距離無線通信が確立されているか否かを監視し、確立されていない場合には、端末装置２と画像処理装置１Ａとの距離が所定の距離以上になったと判断して、仲介モードに設定するものとしてもよい。
このとき、画像処理装置１ＡのＣＰＵ１０ａは、監視部として機能する。
【０１００】
また、本実施形態に係る画像処理装置１Ａは、仲介モードの際、端末装置２のタッチパネルディスプレイ２０ｄに提供する表示画面２００に選択部２１０を表示させる場合において、自身のタッチパネルディスプレイ１０ｅには当該選択部２１０を表示させないように制御するものとしてもよい。
即ち、画像処理装置１Ａのタッチパネルディスプレイ１０ｅと、端末装置２のタッチパネルディスプレイ２０ｄには、ＷｅｂＵＩにより共通の表示画面２００が表示されるが、画像処理装置１Ａにおいては、選択部２１０を表示する必要がない。また、当該ユーザーが画像処理装置１Ａを遠隔操作している最中であっても、他のユーザーが画像処理装置１Ａのタッチパネルディスプレイ１０ｅを操作することも想定されるため、選択部２１０を表示させない方が便宜である。
【０１０１】
また、本実施形態に係る画像処理装置１Ａは、仲介モードの際、処理内容に応じて、画像処理装置１Ａの状態情報をＷｅｂＵＩにより端末装置２の表示画面２００に表示するか否かを判断するものとしてもよい。
例えば、ユーザーが画像処理装置１Ａを遠隔操作している最中に画像処理装置１Ａにペーパーエンプティが発生しても、コピー等を行うのは画像処理装置１Ｂであるため、その旨を端末装置２に通知する必要はないためである。
【０１０２】
また、本実施形態に係る画像処理装置１Ａは、仲介モードの際、端末装置２から要求された処理が、画像処理装置１Ｂが有しない機能を要するものを含む場合、当該処理のうち画像処理装置１Ｂが有する機能によって実現可能なもののみを、画像処理装置１Ｂに実行させるものとしてもよい。
例えば、端末装置２からＦＡＸサービスを指定されたとき、画像処理装置１ＢがＦＡＸ送信機能を有していない場合には、スキャンのみを画像処理装置１Ｂが，ＦＡＸ送信を画像処理装置１Ａが実行するものとすることが可能である。
【０１０３】
以上、本発明に係る実施形態に基づいて具体的に説明したが、画像処理システムを構成する各装置の細部構成及び各装置の細部動作に関しても、本発明の趣旨を逸脱することのない範囲で適宜変更可能である。
【０１０４】
例えば、上記実施形態においては、画像処理装置１Ａは単一の画像処理装置１Ｂとの間で分担処理を実行するものとしたが、これに限らず、複数の他の画像処理装置１にとの間で分担処理を実行するものとしても構わない。
【０１０５】
また、上記の説明では、本発明に係るプログラムのコンピューター読み取り可能な媒体としてＨＤＤや半導体の不揮発性メモリー等を使用した例を開示したが、この例に限定されない。その他のコンピューター読み取り可能な媒体として、ＣＤ−ＲＯＭ等の可搬型記録媒体を適用することが可能である。また、本発明に係るプログラムのデータを、通信回線を介して提供する媒体として、キャリアウエーブ（搬送波）も適用される。
【符号の説明】
【０１０６】
１  画像処理装置
１０ａ  ＣＰＵ（ＵＩ提供部、判定部、制御部、識別情報取得部、位置情報取得部、距離算出部、監視部）
１０ｄ  補助記憶装置（記憶部）
１０ｅ  タッチパネルディスプレイ（表示部）
１０ｇ  ＮＩＣ（第１の通信部、第２の通信部）
１０ｋ  近距離無線通信装置（第３の通信部）
２  端末装置
３  通信回線
１００  画像処理システム
【図１】
2020017832.tif 000003
【図２】
2020017832.tif 000004
【図３】
2020017832.tif 000005
【図４】
2020017832.tif 000006
【図５】
2020017832.tif 000007
【図６】
2020017832.tif 000008
【図７】
2020017832.tif 000009
【図８】
2020017832.tif 000010
【図９】
2020017832.tif 000011
【図１０】
2020017832.tif 000012
【図１１】
2020017832.tif 000013
【図１２】
2020017832.tif 000014